(57)【要約】【課題】ユーザの過去の行動パターンに応じて接続モードを効率的に切り替えて電力消費を低減すること。【解決手段】移動通信端末２は、位置情報を取得する位置情報取得部１２１と、時刻情報を取得する時刻情報取得部１２２と、任意のマクロセル１１と無線接続する通常接続モード１２７と、予め指定されたフェムトセル１２と接続するフェムト接続モード１２６とを切り替え可能に有する基地局接続部１２５と、接続されたフェムトセル１２を特定する基地局特定情報と、フェムトセル１２との接続時の時刻情報及び位置情報とを関連づけて格納する基地局情報格納部１２４と、現在時刻に対応する時刻情報と現在位置に対応する位置情報とに関連付けられた基地局特定情報が格納されていると判定された場合に、基地局接続部１２５をフェムト接続モード１２６に切り替える接続モード切替部１２３とを備える。【選択図】図１
2010245631.tif 000002
【特許請求の範囲】
【請求項１】
現在位置に関する位置情報を取得する位置情報取得手段と、
現在時刻に関する時刻情報を取得する時刻情報取得手段と、
任意の基地局からの信号を探索して前記任意の基地局と接続する第１の接続モードと、予め指定された特定種別の基地局からの信号を探索して前記特定種別の基地局と接続する第２の接続モードとを切り替え可能に有する基地局接続手段と、
前記基地局接続手段によって接続された前記特定種別の基地局を特定する基地局特定情報と、該基地局との接続時に時刻情報取得手段によって取得された前記時刻情報と、該基地局との接続時に前記位置情報取得手段によって取得された前記位置情報とを関連づけて格納する基地局情報格納手段と、
前記基地局情報格納手段を参照することにより、現在時刻に対応する前記時刻情報と現在位置に対応する前記位置情報とに関連付けられた前記基地局特定情報が格納されていると判定された場合に、前記基地局接続手段を前記第２の接続モードに切り替える接続モード切替手段と、
を備えることを特徴とする移動通信端末。
【請求項２】
前記基地局接続手段は、前記接続モード切替手段によって前記第２の接続モードに切り替えられた場合には、現在時刻に対応する前記時刻情報と現在位置に対応する前記位置情報とに関連付けられた前記基地局特定情報に基づいて、前記特定種別の基地局からの前記信号を探索する、
ことを特徴とする請求項１記載の移動通信端末。
【請求項３】
前記接続モード切替手段は、前記基地局接続手段による前記特定種別の基地局との接続が失敗した場合には、前記基地局情報格納手段から該特定種別の基地局に対応する前記基地局特定情報を削除する、
ことを特徴とする請求項２記載の移動通信端末。
【請求項４】
位置情報取得手段が、現在位置に関する位置情報を取得する位置情報取得ステップと、
時刻情報取得手段が、現在時刻に関する時刻情報を取得する時刻情報取得ステップと、
基地局接続手段が、任意の基地局からの信号を探索して前記任意の基地局と接続する第１の接続モードと、予め指定された特定種別の基地局からの信号を探索して前記特定種別の基地局と接続する第２の接続モードとを切り替え可能に有する基地局接続ステップと、
基地局情報格納手段が、前記基地局接続手段によって接続された前記特定種別の基地局を特定する基地局特定情報と、該基地局との接続時に時刻情報取得手段によって取得された前記時刻情報と、該基地局との接続時に前記位置情報取得手段によって取得された前記位置情報とを関連づけて格納する基地局情報格納ステップと、
接続モード切替手段が、前記基地局情報格納手段を参照することにより、現在時刻に対応する前記時刻情報と現在位置に対応する前記位置情報とに関連付けられた前記基地局特定情報が格納されていると判定された場合に、前記基地局接続手段を前記第２の接続モードに切り替える接続モード切替ステップと、
を備えることを特徴とする接続モード切替方法。
【発明の詳細な説明】
【技術分野】
【０００１】
本発明は、移動通信端末及び接続モード切替方法に関するものである。
【背景技術】
【０００２】
従来から、移動通信端末の動作モードを切り替える技術に関しては、加速度センサによって検知された加速度情報と時刻情報とに基づいて、マナーモード等の特定の動作モードに設定するような移動通信端末が知られている（下記特許文献１参照）。この技術は、移動通信端末に設けられたセンサによる検出情報を用いてより複雑な動作制御を可能にしようとするものである。
【０００３】
一方、近年では、移動体通信網において従来型の通信エリア（セル）の比較的大きな基地局（以下、「マクロセル」と言う。）に加えて、通話エリアの比較的小さい「フェムトセル」と呼ばれる異種の基地局が設置されるようになっている。ここで、従来型のマクロセルとフェムトセルとの間では使用される周波数帯やスクランブルコード（暗号化コード）等の通信接続に必要なパラメータが異なるため、移動通信端末のユーザがフェムトセルに接続しようとする場合には、フェムトセルからの信号を探索して接続を可能にするために移動通信端末の接続モードが切り替えられる必要がある。
【先行技術文献】
【特許文献】
【０００４】
【特許文献１】特開２００５−１９２２０６号公報
【発明の概要】
【発明が解決しようとする課題】
【０００５】
しかしながら、上述した従来の動作モードの切替技術を、基地局に関する接続モードの切り替えに適用したとしても、休日や平日等の間で日々多様化するユーザの行動パターンに対応して、接続モードを切り替えることは困難である。また、時刻や加速度情報によって接続モードを切り替えたとしても、ユーザの行動パターンは日々変化するため、基地局の探索により無駄な電力が消費されてしまうという問題も生じる。
【０００６】
そこで、本発明は、かかる課題に鑑みて為されたものであり、ユーザの過去の行動パターンに応じて接続モードを効率的に切り替えて電力消費を低減することが可能な移動通信端末及び接続モード切替方法を提供することを目的とする。
【課題を解決するための手段】
【０００７】
上記課題を解決するため、本発明の移動通信端末は、現在位置に関する位置情報を取得する位置情報取得手段と、現在時刻に関する時刻情報を取得する時刻情報取得手段と、任意の基地局からの信号を探索して任意の基地局と接続する第１の接続モードと、予め指定された特定種別の基地局からの信号を探索して特定種別の基地局と接続する第２の接続モードとを切り替え可能に有する基地局接続手段と、基地局接続手段によって接続された特定種別の基地局を特定する基地局特定情報と、該基地局との接続時に時刻情報取得手段によって取得された時刻情報と、該基地局との接続時に位置情報取得手段によって取得された位置情報とを関連づけて格納する基地局情報格納手段と、基地局情報格納手段を参照することにより、現在時刻に対応する時刻情報と現在位置に対応する位置情報とに関連付けられた基地局特定情報が格納されていると判定された場合に、基地局接続手段を第２の接続モードに切り替える接続モード切替手段と、を備える。
【０００８】
或いは、本発明の接続モード切替方法は、位置情報取得手段が、現在位置に関する位置情報を取得する位置情報取得ステップと、時刻情報取得手段が、現在時刻に関する時刻情報を取得する時刻情報取得ステップと、基地局接続手段が、任意の基地局からの信号を探索して任意の基地局と接続する第１の接続モードと、予め指定された特定種別の基地局からの信号を探索して特定種別の基地局と接続する第２の接続モードとを切り替え可能に有する基地局接続ステップと、基地局情報格納手段が、基地局接続手段によって接続された特定種別の基地局を特定する基地局特定情報と、該基地局との接続時に時刻情報取得手段によって取得された時刻情報と、該基地局との接続時に位置情報取得手段によって取得された位置情報とを関連づけて格納する基地局情報格納ステップと、接続モード切替手段が、基地局情報格納手段を参照することにより、現在時刻に対応する時刻情報と現在位置に対応する位置情報とに関連付けられた基地局特定情報が格納されていると判定された場合に、基地局接続手段を第２の接続モードに切り替える接続モード切替ステップと、を備える。
【０００９】
このような移動通信端末及び接続モード切替方法によれば、過去に接続された特定種別の基地局に関する基地局特定情報を、接続時の時刻情報及び位置情報と関連付けて格納しておき、時刻情報及び位置情報が現在時刻及び現在位置のそれぞれに対応した基地局情報が格納されている場合に、基地局に対する接続モードとして、任意の基地局と接続する第１の接続モード及び特定種別の基地局と接続する第２の接続モードのうちから第２の接続モードが選択される。その結果、特定種別の基地局との時間的及び場所的な接続傾向に応じて優先的に特定種別の基地局と接続することにより、ユーザの行動パターンに従って効率的に基地局の種別を選択して接続することができ、基地局の信号探索による電力の浪費も低減される。
【００１０】
基地局接続手段は、接続モード切替手段によって第２の接続モードに切り替えられた場合には、現在時刻に対応する時刻情報と現在位置に対応する位置情報とに関連付けられた基地局特定情報に基づいて、特定種別の基地局からの信号を探索する、ことが好ましい。こうすれば、優先的に特定種別の基地局を探索する際に、特定種別の基地局の中からさらに限定された基地局に接続されるので、さらにユーザの行動パターンに適合した基地局の選択が実現される。例えば、時間帯や場所に応じて、最適な通信サービスを提供する基地局を自動選択させることができる。
【００１１】
また、接続モード切替手段は、基地局接続手段による特定種別の基地局との接続が失敗した場合には、基地局情報格納手段から該特定種別の基地局に対応する基地局特定情報を削除する、ことも好ましい。かかる構成を採れば、電波状況や基地局の設置状態等の接続環境に変化があった場合でも、その変化に追随して円滑に基地局と接続することができる。
【発明の効果】
【００１２】
本発明によれば、ユーザの過去の行動パターンに応じて接続モードを効率的に切り替えて電力消費を低減することができる。
【図面の簡単な説明】
【００１３】
【図１】本発明の好適な一実施形態にかかる移動体通信システムの概略構成図である。
【図２】図１の基地局情報格納部１２４に格納されるデータの構成を示す図である。
【図３】移動通信端末２による在圏履歴記憶時の動作を示すフローチャートである。
【図４】移動通信端末２による在圏処理時の動作を示すフローチャートである。
【発明を実施するための形態】
【００１４】
以下、図面とともに本発明による移動通信端末及び接続モード切替方法の好適な実施形態について詳細に説明する。なお、図面の説明においては同一要素には同一符号を付し、重複する説明を省略する。
【００１５】
図１は、本発明の好適な一実施形態にかかる移動体通信システム１の概略構成図である。図１に示すように、本実施形態にかかる移動体通信システム１は、移動通信端末２、マクロセル１１、フェムトセル１２、及び位置情報サーバ１３を備えており、移動体通信網ＮＷを介して移動通信端末２と他の端末やサーバ装置等（図示せず）との間で相互にデータ通信及び音声通信を可能にする通信システムである。なお、移動通信端末２は、マクロセル１１又はフェムトセル１２のいずれかとＩＭＴ−２０００（International Mobile Telecommunication 2000）等の移動体通信方式によって接続（在圏）することによって、移動体通信網ＮＷとの間で各種データを送受信することが可能とされている。ここで、同図には、便宜上マクロセル１１及びフェムトセル１２を１台ずつ図示しているが、それぞれ複数台存在してもよいことは言うまでもない。
【００１６】
マクロセル１１は、移動通信端末２とＷ−ＣＤＭＡ（Wideband Code Division Multiple Access）等の無線アクセス方式によって接続可能な基地局であり、移動通信端末２から送信された通信データを、移動体通信網ＮＷに中継するとともに、移動体通信網ＮＷから移動通信端末２宛てに送信された通信データを移動通信端末２に中継する。このマクロセル１１は、半径が数百ｍ〜十数ｋｍ程度の比較的大きい通信エリア（以下、セルとも言う）を有しており、この通信エリア内に位置する移動通信端末２がマクロセル１１に無線接続（在圏）することが可能とされる。移動通信端末２がマクロセル１１に在圏している際には、使用される電波の周波数帯に関する周波数帯情報やＣＤＭＡ方式において符号化に用いられる暗号コード（スクランブリングコード）等が共有されて無線信号が送受信される。
【００１７】
フェムトセル１２は、マクロセル１１と同様、移動通信端末２とＷＣＤＭＡ等の無線アクセス方式によって接続可能な基地局であり、移動通信端末２から送信された通信データを、移動体通信網ＮＷに中継するとともに、移動体通信網ＮＷから移動通信端末２宛てに送信された通信データを移動通信端末２に中継する。このフェムトセル１２は、半径が数十ｍ程度の比較的小さい通信エリアを有するマクロセル１１とは異なる種別の簡易型の基地局であり、この通信エリア内に位置する移動通信端末２がフェムトセル１２に無線接続（在圏）することが可能とされる。移動通信端末２がフェムトセル１２に在圏する際には、マクロセル１１とは異なる周波数帯の電波及びスクランブリングコードが用いられる。また、フェムトセル１２は、マクロセル１１とは異なる通信サービスを提供可能に構成されており、例えば、マクロセル１１によっては中継されない限定コンテンツデータを送信したり、通信料金をマクロセル１１に比して安価に設定したりすることが可能とされている。
【００１８】
位置情報サーバ１３は、移動体通信網ＮＷに接続されており、移動通信端末２の在圏している通信エリアに関する位置情報を記憶するサーバ装置である。この位置情報としては、移動通信端末が在圏しているマクロセル１１又はフェムトセル１２を特定する基地局特定情報（Cell ID）が用いられる。また、位置情報サーバ１３に記憶される移動通信端末２に関する位置情報は、マクロセル１１及びフェムトセル１２の通信エリアを跨って移動通信端末２が移動する際にはそれに応じて更新される。
【００１９】
移動通信端末２は、音声通信機能及びデータ通信機能を有する携帯電話機、ＰＤＡ（Personal Digital Assistants）、又は可搬型パーソナルコンピュータであり、機能的な構成要素として、位置情報取得部（位置情報取得手段）１２１、時刻情報取得部（時刻情報取得手段）１２２、接続モード切替部（接続モード切替手段）１２３、基地局情報格納部（基地局情報格納手段）１２４、及び基地局接続部（基地局接続手段）１２５を備えている。次に、移動通信端末２の各構成要素について詳細に説明する。
【００２０】
位置情報取得部１２１は、ＧＰＳ（Global Positioning System）測位を実行することにより、移動通信端末２の現在位置を示す位置情報を取得する。例えば、位置情報取得部１２１は、移動通信端末２の現在位置に対応する緯度情報及び経度情報を含む位置情報“(45,135)”を取得する。また、位置情報取得部１２１は、ＧＰＳ測位により位置情報を取得する以外にも、位置情報サーバ１３から移動通信端末２が現在在圏している通信エリアを特定する基地局特定情報（Cell ID）を位置情報として取得してもよい。ただし、位置情報の精度の観点からはＧＰＳ測位によるほうがより好ましい。
【００２１】
時刻情報取得部１２２は、時計機能等を内蔵することにより、現在時刻を取得する。例えば、時刻情報取得部１２２は、現在時刻に対応する曜日及び時刻を特定する時刻情報“Mon 19:35”を取得する。
【００２２】
基地局接続部１２５は、移動通信端末２の現在位置に応じてマクロセル１１及びフェムトセル１２のいずれかの基地局を選択して無線接続する機能を有する。具体的には、基地局接続部１２５は、基地局からの報知信号を探索し、その報知信号に含まれる周波数帯情報やスクランブリングコード等の情報を参照することによって、基地局との無線接続を確立するとともに、移動体通信網NWに対して位置登録を実行する。この位置登録が実行されることにより、位置情報サーバ１３における移動通信端末２に関する基地局特定情報（Cell ID）が登録及び更新される。
【００２３】
ここで、基地局接続部１２５は、基地局に接続するための接続モードとして、「通常接続モード」と呼ばれる接続モード１２７（第１の接続モード）と、「フェムト接続モード」と呼ばれる接続モード１２６（第２の接続モード）を切替可能に構成されている。通常接続モード１２７は、基地局からの報知信号に基づいて任意のマクロセル１１と接続する機能であり、複数のマクロセル１１のうち所定条件を満たす基地局に接続する。この所定条件としては、通信環境に関する条件が予め設定され、一例としては、受信電力の最も大きいマクロセル１１を選択したり、データ伝送における誤り率が最も小さいマクロセル１１を選択すること等が挙げられる。これに対して、フェムト接続モード１２６は、基地局からの報知信号を探索して予め指定された特定種別の基地局であるフェムトセル１２と優先的に接続する機能である。例えば、フェムト接続モード１２６は、予めフェムトセル１２に在圏するための周波数帯情報やスクランブリングコード等の基地局在圏情報を記憶しておき、その基地局在圏情報が探索された報知信号に含まれる情報と一致する場合に、フェムトセル１２に対して在圏処理を実行する。この基地局在圏情報は、移動通信端末２のユーザ又は接続モード切替部１２３から予め入力されることにより基地局接続部１２５に記憶される。
【００２４】
また、基地局接続部１２５は、フェムト接続モード１２６によってフェムトセル１２に対する在圏処理が正常に終了した場合には、フェムトセル１２に関する基地局在圏情報を基地局情報格納部１２４に格納する。図２は、このようにして格納された基地局情報格納部１２４の基地局在圏情報のデータ構成に一例を示す。同図に示すように、基地局接続部１２５によってフェムトセル１２に無線接続された場合には、在圏処理が完了した時刻に対応する時間帯情報“Wed 15:00”が時刻情報取得部１２２から取得され、在圏処理が完了した際の位置情報“(45,135)”が位置情報取得部１２１から取得されると同時に、フェムトセル１２を特定する基地局特定情報“#1”と、フェムトセル１２に対する在圏処理時に使用された周波数帯情報“F1”及びスクランブリングコード“SC1”とが特定される。そして、基地局接続部１２５により、時間帯情報“Wed 15:00”、位置情報“(45,135)”、周波数帯情報“F1”、スクランブリングコード“SC1”、及び基地局特定情報“#1”が、互いに関連づけて基地局在圏情報として、基地局情報格納部１２４に格納される。また、基地局接続部１２５は、同一の時間帯に同一の位置で同一のフェムトセル１２に複数回在圏した際には、基地局在圏情報に在圏回数を追加して記憶し、その在圏回数を過去の在圏回数に応じた値（例えば、過去の在圏回数が１０回の場合は“１０”）に更新する。ここで言う「同一の位置」とは、厳密に位置情報が一致する場合はもちろん、ある程度の誤差範囲を含んだエリア内で一致する場合も含む（以下、同様）。
【００２５】
接続モード切替部１２３は、移動通信端末２が起動後に、定期的に基地局接続部１２５の接続モードの自動切替を実行する。すなわち、接続モード切替部１２３は、定期的に、位置情報取得部１２１及び時刻情報取得部１２２より、現在位置に関する位置情報及び現在時刻に関する時刻情報を取得し、その位置情報及び時刻情報に対応する基地局在圏情報を、基地局情報格納部１２４を参照することにより取得する。さらに、接続モード切替部１２３は、現在時刻を含む時間帯と現在位置と同一の位置を表す位置情報とに関連づけられている基地局在圏情報が存在すると判定した場合に、その基地局在圏情報に含まれる周波数帯情報（FID）、スクランブリングコード（SC）、及び基地局特定情報（Cell ID）を読み出す。なお、接続モード切替部１２３は、複数の基地局在圏情報が存在する場合には、在圏回数が多い情報を優先的に読み出す。そして、読み出した周波数帯情報（FID）、スクランブリングコード（SC）、及び基地局特定情報（Cell ID）を基地局接続部１２５に引き渡し、これらの情報を用いてフェムトセル１２に優先的に接続するように、基地局接続部１２５をフェムト接続モード１２６に切り替える。
【００２６】
例えば、図２に示すような基地局在圏情報が格納されており、現在時刻が“Wed 15:35”であり、現在位置が“(45,135)”である場合には、接続モード切替部１２３によって、周波数帯情報（FID）“F1”、スクランブリングコード（SC）“SC1”、及び基地局特定情報（Cell ID）“#１”が読み出されて、それらの情報を用いて基地局接続部１２５がフェムト接続モード１２６に切り替えられる。
【００２７】
一方、接続モード切替部１２３は、現在時刻を含む時間帯と現在位置と同一の位置を表す位置情報とに関連づけられている基地局在圏情報が存在しないと判定した場合には、近傍にフェムトセル１２が存在する可能性が低いか、或いは、ユーザによるフェムトセル１２の利用に対するニーズも低いと判断して、より広い通信エリアを有するマクロセル１１に確実に在圏するために、基地局接続部１２５を通常接続モード１２７に切り替える。
【００２８】
以下、図３及び図４を参照して、移動体通信システム１における移動通信端末２の動作について説明するとともに、併せて移動通信端末２における接続モード切替方法について詳述する。図３は、移動通信端末２による在圏履歴記憶時の動作を示すフローチャート、図４は、移動通信端末２による在圏処理時の動作を示すフローチャートである。
【００２９】
まず、図３を参照して、ユーザからの起動指示の受付に応じて基地局接続部１２５のフェムト接続モード１２６が起動される（ステップＳ１０１）。そうすると、記憶されている周波数帯情報（FID）、スクランブリングコード（SC）、及び基地局特定情報（Cell ID）を用いて、フェムトセル１２の報知信号が探索される（ステップＳ１０２）。そして、これらの情報が一致した報知信号を発しているフェムトセル１２が存在しているか否かが判定される（ステップＳ１０３）。判定の結果、フェムトセル１２が検出されなかった場合には（ステップＳ１０３；ＮＯ）、処理をステップＳ１０１に戻し、再度該当するフェムトセル１２を探索する。
【００３０】
一方、上記判定の結果、フェムトセル１２が検出された場合は（ステップＳ１０３；ＹＥＳ）、記憶されている周波数帯情報（FID）、スクランブリングコード（SC）、及び基地局特定情報（Cell ID）を用いてフェムトセル１２に対する在圏処理を実行する（ステップＳ１０４）。その後、フェムトセル１２との無線接続が完了すると、時刻情報取得部１２２から現在時刻に対応する時間帯情報が取得される（ステップＳ１０５）。それと同時に、位置情報取得部１２１から現在位置に関する位置情報が取得される（ステップＳ１０６）。そして、基地局接続部１２５により、取得された時間帯情報及び位置情報を含む基地局在圏情報が基地局情報格納部１２４に格納される（ステップＳ１０７）。このとき、既に同一内容の基地局在圏情報が存在していた場合には、在圏回数を加算して更新する。
【００３１】
図４に移って、移動通信端末２が起動されると、まず、基地局接続部１２５において通常接続モード１２７が起動される（ステップＳ２０１）。その後、定期的に位置情報取得部１２１及び時刻情報取得部から位置情報及び時刻情報が取得される（ステップＳ２０２）。次に、接続モード切替部１２３は、取得した時刻に対応する時間帯情報を含む基地局在圏情報が、基地局情報格納部１２４に記憶されているか否かを判定する（ステップＳ２０３）。その結果、対応する基地局在圏情報が存在しない場合には（ステップＳ２０３；ＮＯ）、処理をステップＳ２０１に戻し、通常接続モード１２７による動作を継続させる。
【００３２】
上記判定の結果、対応する基地局在圏情報が存在する場合には（ステップＳ２０３；ＹＥＳ）、接続モード切替部１２３は、その基地局在圏情報の中に、取得した位置情報に一致する位置情報を含む基地局在圏情報が存在するか否かを判定する（ステップＳ２０４）。その結果、対応する基地局在圏情報が存在しない場合には（ステップＳ２０４；ＮＯ）、処理をステップＳ２０１に戻し、通常接続モード１２７による動作を継続させる。
【００３３】
一方、対応する基地局在圏情報が存在する場合には（ステップＳ２０４；ＹＥＳ）、接続モード切替部１２３は、基地局在圏情報に含まれる周波数帯情報（FID）、スクランブリングコード（SC）、及び基地局特定情報（Cell ID）を引き渡して、基地局接続部１２５の接続モードをフェムト接続モード１２６に切り替える（ステップＳ２０５）。そうすると、基地局接続部１２５によってフェムトセル１２の報知信号が探索され（ステップＳ２０６）、FID、SC、CellIDの一致するフェムトセル１２が検出されたか否かが判定される（ステップＳ２０７）。この判定の結果、フェムトセル１２が検出されずにフェムトセル１２との接続が失敗した場合には（ステップＳ２０７；ＮＯ）、基地局接続部１２５によって、該当する基地局在圏情報が基地局情報格納部１２４から削除される（ステップＳ２０８）。
【００３４】
これに対して、フェムトセル１２が検出された場合には（ステップＳ２０７；ＹＥＳ）、基地局接続部１２５によって、FID、SC、CellIDを用いてフェムトセル１２への在圏処理が実行される（ステップＳ２０９）。最後に、基地局接続部１２５によって、該当する基地局在圏情報の在圏回数が加算されて更新される（ステップＳ２１０）。
【００３５】
以上説明した移動通信端末２及び接続モード切替方法によれば、過去に接続されたフェムトセルに関する周波数帯情報（FID）、スクランブリングコード（SC）、及び基地局特定情報（Cell ID）を、接続時の時間帯情報及び位置情報と関連付けて格納しておき、時間帯情報及び位置情報が現在時刻及び現在位置のそれぞれに対応した基地局在圏情報が格納されている場合に、基地局に対する接続モードとして、任意のマクロセルと接続する通常接続モード１２７及びフェムトセルと優先的に接続するフェムト接続モード１２６のうちから、フェムト接続モード１２６が選択される。その結果、フェムトセルとの時間的及び場所的な接続傾向に応じて優先的にフェムトセルと接続することにより、ユーザの行動パターンに従って効率的に基地局の種別を選択して接続することができ、基地局の信号探索による電力の浪費も低減される。
【００３６】
具体的には、通信エリアの比較的狭い特定のフェムトセル１２に接続して特定の通信サービスを享受したい場合に、従来は、フェムトセル１２に対応するパラメータを予め指定してそれに基づいて探索を行うために探索のための消費電力が増大する傾向にあった。これに対して、本実施形態によれば、過去のユーザの行動パターンと現在の行動状況を照らし合わせて自動的にパラメータを引き継いでフェムトセル１２と接続するので、無駄な信号の探索を防止して消費電力の低減が実現される。
【００３７】
また、接続モード切替部１２３は、フェムトセル１２との接続が失敗した場合には、基地局情報格納部１２４から該当の基地局在圏情報を削除するので、電波状況やフェムトセルの設置状態等の接続環境に変化があった場合でも、その変化に追随して円滑にフェムトセルと接続することができる。
【００３８】
なお、本発明は、前述した実施形態に限定されるものではない。例えば、基地局接続部１２５のフェムト接続モード１２６は、予め記憶したFID、SC、CellIDを用いて特定のフェムトセル１２への在圏処理が実行しているが、必ずしもこれらの情報を用いてフェムトセル１２に接続する必要はない。すなわち、フェムトセル１２からの報知信号の中に含まれるCell IDやフラグ情報に基づいて、フェムトセル１２の基地局種別を判定して在圏処理を実行してもよい。この場合、在圏処理を実行するためのFID、SC、CellID等のパラメータは報知情報から抽出される。
【００３９】
また、基地局情報格納部１２４には、フェムトセル１２に対する在圏処理が完了したタイミングで時刻情報及び位置情報が取得されて基地局在圏情報として記憶されているが、フェムトセル１２の通信エリアから外れてフェムトセル１２から離圏したタイミングで取得されてもよい。
【符号の説明】
【００４０】
１…移動体通信システム、２…移動通信端末、１１…マクロセル、１２…フェムトセル、１２１…位置情報取得部（位置情報取得手段）、１２２…時刻情報取得部（時刻情報取得手段）、１２３…接続モード切替部（接続モード切替手段）、１２４…基地局情報格納部（基地局情報格納手段）、１２５…基地局接続部（基地局接続手段）、１２６…フェムト接続モード（第２の接続モード）、１２７…通常接続モード（第１の接続モード）。
【図１】
2010245631.tif 000003
【図２】
2010245631.tif 000004
【図３】
2010245631.tif 000005
【図４】
2010245631.tif 000006